(57)【特許請求の範囲】
【請求項１】
ベルト状の像担持体を駆動する支持ローラと支持ローラの外径より小径であって像担持体の移動に伴って従動回転し像担持体を選択された現像手段に向かって付勢する当接ローラとの間に張架されるベルト状の像担持体と、前記像担持体を帯電する帯電手段と、画像形成情報に従って前記像担持体上に静電潜像を形成する露光手段と、前記像担持体上の静電潜像を複数色のトナーにより順次顕像化する固定配置された複数の現像手段と、現像されたトナー像を中間転写媒体上に順次転写する転写手段と、前記像担持体の残留電荷を除去する除電手段とを有し、前記帯電手段、露光手段、転写手段及び除電手段を前記支持ローラの周囲に位置決めして配置し、前記中間転写媒体をドラム状に形成し、前記支持ローラと前記中間転写媒体の線膨張率を等しくし、前記中間転写媒体の周長を前記支持ローラの周長の整数倍とすることを特徴とするカラー画像形成装置。
【請求項２】
前記像担持体を前記支持ローラに巻きかけた部分に対向して前記帯電手段を配設し、前記像担持体を前記支持ローラに巻きかけた部分で露光するべく前記露光手段を配設し、前記像担持体を前記支持ローラに巻きかけた部分に対向して前記転写手段を配設することを特徴とする請求項１記載のカラー画像形成装置。
以上
【発明の詳細な説明】
【０００１】
【発明の属する技術分野】
本発明は、プリンターやファクシミリや複写機等に用いられる電子写真方式によるカラー画像形成装置に関し、さらに詳しくは、ベルト状の像担持体上に形成された各色のトナー画像を中間転写媒体または転写ドラム上で色重ねしてカラー画像を形成するカラー画像形成装置に関する。
【０００２】
【従来の技術】
従来のカラー画像形成装置は、特開昭６２−１８２７６６号公報に開示されるように、ベルト状の像担持体の周長に対して、中間転写媒体の周長を像担持体の周長の整数分の一として、各々の回転の同期を取るだけでなく長さにおいて整合性を取りつつ、中間転写媒体の同一位置を像担持体の所定の位置に接触させて機械的運動を同期化させる技術が提案されている。
【０００３】
【発明が解決しようとする課題】
しかし、カラー画像形成装置を小型化する観点から、像担持体の小径化が進み、カラー画像の色再現性を向上する観点から、高解像度化が進む中にあって、上述の公報に開示されるようなカラー画像形成装置では、装置の小型化が困難であるだけでなく、仮に小型化したとしても、像担持体の機械的な振れ等による再現性のある位置ズレの影響で色重ね時に色ズレを生じ、高解像化に支障をきたし色再現性を低下させていた。
【０００４】
本発明はかかる従来の問題点に鑑みてなされたもので、その目的とするところは、小径の像担持体を用いて小型のカラー画像形成装置を提供することにある。また、本発明の他の目的は、ベルト状の像担持体を用いた装置において、高精度な色重ねを行い色間の位置ズレを最低限に抑えた色再現性に優れたカラー画像形成装置を提供することにある。
【０００５】
【課題を解決するための手段】
上記の課題を解決するために、本発明のカラー画像形成装置は、以下の構成としたことを特徴とする。
【０００６】
（１−１）ベルト状の像担持体を支持し駆動する支持ローラと支持ローラの外径より小径の当接ローラとの間にベルト状の像担持体を張架し、前記像担持体を帯電する帯電手段と、画像形成情報に従って前記像担持体上に静電潜像を形成する露光手段と、前記像担持体上の静電潜像を複数色のトナーにより順次顕像化する複数の現像手段と、現像されたトナー像を中間転写媒体上に順次転写する転写手段と、前記像担持体の残留電荷を除去する除電手段を前記支持ローラの周囲に位置決めして配置し、前記中間転写媒体の周長を前記支持ローラの周長の整数倍とする。
【０００７】
（１−２）中間転写媒体はベルト状に形成されると共に、中間転写媒体を支持し駆動する駆動ローラの周長を中間転写媒体の周長の整数分の一とする。
【０００８】
（１−３）支持ローラと駆動ローラの線膨張率を等しくする。
【０００９】
（１−４）中間転写媒体をドラム状に形成する。
【００１０】
（１−５）支持ローラと中間転写媒体の線膨張率を等しくする。
【００１１】
（１−６）像担持体を支持ローラに巻きかけた部分に対向して帯電手段を配設し、像担持体を支持ローラに巻きかけた部分で露光するべく露光手段を配設し、像担持体を支持ローラに巻きかけた部分に対向して転写手段を配設する。
【００１５】
【発明の実施の形態】
以下、図面に基づき本発明を詳細に説明する。
【００１６】
図１は、本発明のカラー画像形成装置の一実施例を示す要部断面図である。
【００１７】
図において符号１０は、ベルト状に形成された像担持体を示し、この像担持体１０はニッケル電鋳チューブ上に電荷発生層及び電荷輸送層をこの順に形成した可撓性を持つ有機感光体である。この像担持体１０は、像担持体１０を駆動し矢印Ｂ方向に回転する支持ローラ１１と像担持体１０の移動に伴って従動回転し像担持体１０を選択された現像手段に向かって付勢する当接ローラ１３との間に張架される。尚、当接ローラ１３については、現像するべきトナー色に応じて、像担持体１０の非画像部で矢印Ｃ方向に移動して、所定の現像手段に向かって像担持体１０を付勢するものである。但し、図中の二点鎖線で示す円弧は、当接ローラ１３が現像手段に対応して位置決めされる位置を示す。このようにして張架され移動する像担持体１０に対して、帯電、露光、現像、転写等の電子写真プロセスにより各色順次トナー像が形成される。
【００１８】
図において符号２０は、帯電手段である帯電ローラを示し、帯電ローラ２０は、像担持体１０を支持ローラ１１に巻きかけた部分に対向して、像担持体１０と軽圧で接触するように配設され、像担持体１０に従動して回転する。この帯電ローラ２０にＤＣ（−）１２００Ｖ程度のバイアスを印加して、像担持体１０の表面を順次（−）６５０Ｖ程度の帯電電位に均一に帯電させることができる。
【００１９】
次に、帯電された像担持体１０は、像担持体１０を支持ローラ１１に巻きかけた部分で露光手段３０により像露光され、像露光部の電位は（−）５０Ｖ〜（−）１５０Ｖになる。露光手段３０は、図示しない半導体レーザ、ポリゴンミラー３１、結像レンズ３２、ミラー３３等で構成され、半導体レーザから出射されたビーム３４は、ポリゴンミラー３１で偏光走査され、結像レンズ３２で補正され、ミラー３３で反射されて、像担持体１０に照射される。このようにして、像担持体１０上に静電潜像が形成される。
【００２０】
続いて、静電潜像が形成された像担持体１０は、像担持体１０の矢印Ａ方向に移動して、当接ローラ１３により像担持体１０を選択された現像手段に向かって付勢して画像部にトナーが現像され、静電潜像は顕像化される。この現像手段は、イエローのトナーを現像するイエロー現像ローラ４５を有するイエロー現像器４１、マゼンタのトナーを現像するマゼンタ現像ローラ４６を有するマゼンタ現像器４２、シアンのトナーを現像するシアン現像ローラ４７を有するシアン現像器４３、ブラックのトナーを現像するブラック現像ローラ４８を有するブラック現像器４４、により構成され、画像の色データにより、それぞれの現像器を作動させて像担持体１０の静電潜像を１色づつ現像する。尚、各現像器４１〜４４は、ハウジング４０に着脱可能に位置決め固定され、各現像ローラ４５〜４８の位置は、当接ローラ１３を移動可能とするように支持ローラ１１に対して当接ローラ１３の外径以上の空隙を隔てて配設され、各現像ローラ４５〜４８は、現像時に、像担持体１０に対して接触、非接触の何れの位置に配置されても良い。
【００２１】
引き続いて、所定色のトナーにより形成されたトナー像は、転写手段である一次転写ローラ５０により、像担持体１０から中間転写媒体５１に転写される。この一次転写ローラ５０は、中間転写媒体５１を挟んで、像担持体１０を支持ローラ１１に巻きかけた部分に対向して配設される。ここで、中間転写媒体５１の周長は支持ローラ１１の周長に対して張設時に等倍となるように設定している。尚、転写時には、除電ランプ６０により、像担持体１０上の残留電荷を除去して、画像エッジ部の転写残りを低減する。
【００２２】
像担持体１０上に転写後残留した転写残りのトナーは、次に、クリーニング手段７０へ送られ、クリーニングブレード７１により掻き落とされ、クリーニング手段７０の内部空間に排出される。クリーニングブレード７１が像担持体１０に接触する部分は、像担持体１０を支持ローラ１１に巻きかけた部分に対向して配設され、クリーニングブレード７１と像担持体１０との相対位置関係を一定に保っている。
【００２３】
この後、再度、帯電、露光、現像を行って形成された次の色のトナー像は、一次転写ローラ５０により像担持体１０から中間転写媒体５１に転写され、中間転写媒体５１上で色重ねされる。ここで、中間転写媒体５１は、駆動ローラ５２と第一従動ローラ５３と第二従動ローラ５４との間に張架されると共に、一次転写ローラ５０を内部に有し、矢印Ｆ方向に回転する駆動ローラ５２により駆動され、第一従動ローラにより張力を与えられて、矢印Ｅ方向に移動する。特に、中間転写体５１の周長は、後に詳述するように、転写の位置精度を向上するために、支持ローラ１１の周長の整数倍にするのが好ましく、同時に、駆動ローラ５２の周長の整数倍にするのがより好ましい。また、中間転写媒体５１を用いずに、記録材を保持する転写ドラムや紙搬送ベルトを用いても同様な色重ねを行いカラー画像を形成することが可能であり、この場合、転写ドラムの周長は、同様な理由で、像担持体１０を支持し駆動する支持ローラ１１の周長の整数倍にするのが好ましい。尚、各色の画像形成動作は中間転写媒体５１の周回毎に発生するインデックス信号により開始することにより、中間転写媒体の周期的な位置ズレに起因する色ズレを防止することができる。
【００２４】
このような動作を所定色分繰り返して形成されたカラートナー像は、矢印Ｇ方向に離接動作を行って第二従動ローラ５４に向かって付勢された二次転写ローラ５５により、画像の先端に合わせて搬送されてきた記録媒体８０に一括して二次転写される。
【００２５】
一方、中間転写媒体５１上に二次転写後残留した転写残りのトナーは、第二クリーニング手段５６へ移送され、第二クリーニングブレード５７により掻き落とされ、第二クリーニング手段５６の内部空間に排出される。尚、第二クリーニング手段５６は、トナー像を記録媒体８０に転写する動作に対応して、矢印Ｈ方向に中間転写媒体５１に向かって移動しクリーニングを行うが、それ以外では中間転写媒体５１に対して離間した位置に保持される。
【００２６】
他方、記録媒体８０は、カラートナー像の二次転写に応じて紙パス８１に沿って給送されるが、多数枚の紙等の記録媒体８０を収納する給紙トレー８２から、矢印Ｉ方向に回転する給紙ローラ８３により取り出され、ゲートローラ対８４、８５に送られる。このゲートローラ対８４、８５で先端を揃えられた記録媒体８０は、色重ねされたカラートナー像を記録媒体８０の所定の位置に一括転写するべく、ゲートローラ８４を矢印Ｊ方向に回転駆動させて、二次転写ローラ５５に向けて給送され、中間転写媒体５１上のカラートナー像は一括して記録媒体８０上に二次転写される。さらに、記録媒体８０は、定着手段９０へと搬送され、トナー像を加熱定着された後、図示しない排紙トレーに排出される。尚、定着手段９０は、加熱ローラ９１と加圧ローラ９２とで構成され、加熱ローラ９１を矢印Ｋ方向に回転し、加熱ローラ９１の内部に配設されたヒータを熱源として、記録媒体８０上のカラートナー像を加熱定着するものである。
【００２７】
このようにして、記録媒体８０上に複数色のトナーによるカラートナー像が定着され、一連のカラー画像形成動作が完了する。また、連続してカラー画像を形成する場合には、同様の画像形成プロセスを繰り返し、モノカラーの画像を形成する場合には、一色分の画像形成プロセスのみを行う。
【００２８】
上述したように、このようなカラー画像形成装置では、中間転写媒体５１の周長を像担持体１０の支持ローラ１１の周長の整数倍とすることが、一次転写位置における色重ね精度を向上する観点から好ましい。この理由を図２を用いて以下に説明する。
【００２９】
図２は一次転写位置における各要素の位置ズレの時間変化を示す図であって、像担持体、この支持ローラ、中間転写媒体、この駆動ローラの位置ズレ量を縦軸に、時間を横軸に取って示したものである。まず、像担持体は、周期Ｔ1で位置ズレが変化し、これはベルト状の像担持体の一周する周期とは一致しない。一方、像担持体を支持し駆動する支持ローラは、周期Ｔ2で位置ズレが変化し、この周期は像担持体の位置ズレの周期Ｔ1とほぼ一致する。これは像担持体を可撓性のベルトとして薄膜にしたため像担持体の膜厚による速度変動が殆ど無視できるほど小さく、支持ローラへの像担持体の巻き付け角も十分確保できるため像担持体の蛇行も十分小さいので、像担持体の位置ズレの要因としては支持ローラの機械的振れが支配的になっていることを意味している。次に、中間転写媒体は、周期Ｔ3で位置ズレが変化し、中間転写媒体の一周する周期と一致する。一方、中間転写媒体を支持し駆動する駆動ローラは、周期Ｔ4で位置ズレが変化し、この周期は中間転写体の位置ズレに影響している。これらから、中間転写媒体の位置ズレの要因としては、中間転写媒体自体の蛇行と駆動ローラの機械的振れが支配的になっていることを意味している。特に、中間転写媒体をドラム状に形成した場合には、駆動ローラが中間転写媒体そのものになるため、蛇行の影響は殆どなくなるものの、駆動ローラの影響が大きくなる。但し、図２は、振動等の影響による非周期性の位置ズレを除いて示してあるが、このような非周期性の位置ズレについては、機械精度を向上したり緩衝材を適宜設けることにより低減することができここでは割愛する。
【００３０】
このように、像担持体の位置ズレはこの支持ローラの機械的な振れに起因する速度変動により大きく支配され、中間転写媒体の位置ズレはこの駆動ローラの機械的な振れに起因する速度変動と中間転写媒体自身の蛇行により大きく支配される。しかも、これらの位置ズレは周期性を持って変化する。従って、中間転写媒体を３〜４回複数回周回させて色重ねを行う場合には、このような周期性を持つ位置ズレを色間で再現させることが色再現性を確保する上で重要である。そこで先ず、ベルト状の像担持体を支持し駆動する支持ローラの周長に対して中間転写媒体の周長を整数倍にすることにより、色間での位置ズレを防止することができ色再現性を向上することができる。さらに、中間転写媒体を支持し駆動する駆動ローラの周長を中間転写媒体の周長に対して整数分の一にすることにより、色間での位置ズレをさらに低減することができる。
【００３１】
また、色間での位置ズレが機械的な振れによる所が大きいため、温度が変化しても、位置ズレの周期性を一定に保つことが色再現性を向上する上で重要である。従って、支持ローラと駆動ローラの線膨張率を等しくすることにより、温度変化により外径が変化しても、色間での位置ズレの周期性を常温と同様に保ち色再現性の温度変化を抑制することができる。特に、中間転写媒体をドラム状にする場合や転写ドラムを用いる場合には、支持ローラとこれらとの線膨張率を等しくすることにより、同様な効果を奏する。
【００３２】
ところで、図１に示すようなカラー画像形成装置にあっては、像担持体１０を支持ローラ１１に巻きかけた部分に対向して帯電手段である帯電ローラ２０を配設し、像担持体１０を支持ローラ１１に巻きかけた部分で露光するべく露光手段３０を配設し、支持ローラ１１から当接ローラ１３の外径以上離間させて現像手段４１〜４４を配設すると共に当接ローラ１３により現像手段４１〜４４を選択して所定の色のトナー像を形成し、像担持体１０を支持ローラ１１に巻きかけた部分に対向して転写手段である一次転写ローラを配設してトナー像を転写することにより、当接ローラの移動により現像手段の選択を行うため現像手段の離接移動が不要であり現像手段に与える振動や衝撃を最小限にすることができ、帯電及び露光及び転写の位置を支持ローラに対して正確に位置決めすることができるため、装置内のトナー汚染を防止すると共に、飛散トナーによる画像劣化を防止することができ、解像度が高く色ズレのないカラー画像を形成することができる。尚、支持ローラ１１や当接ローラ１３は、金属のスリーブ等にフランジを嵌合したものを用い、外周面を粗面化処理したものや外周面に樹脂を被覆したものを用いることができる。また、露光手段３０が像担持体１０を支持ローラ１１に巻きかけた部分で露光するべく配設され、転写手段である一次転写ローラ５０が像担持体１０を支持ローラ１１に巻きかけた部分に対向して配設されることにより、像担持体１０のベルト張力変動が少ない位置で露光することができ、たとえ像担持体のベルト張力が変動しても、現像位置や転写位置と同様なベルト張力状態となる位置で露光することができると共に、安定して一定の位置で転写することができるため、露光位置から一次転写位置に至るまでの像担持体１０のベルト長を一定に保つことができるので、色ズレのない色再現性に優れたカラー画像を形成することができる。さらに、当接ローラ１３の外径を支持ローラ１１の外径より小径とすることにより、帯電、露光、転写、クリーニング、除電といった各プロセスを支持ローラ１１の周囲に位置決めして構成することができるため、解像度が高く色ズレのないカラー画像を形成することができる。
【００３３】
これまで述べてきたように、上述の実施例によれば、ベルト状の像担持体を用いて、色ズレのないカラー画像を中間転写媒体上に形成することができるものであるが、ベルトを支持するローラの本数は、ベルトの蛇行を防止し繰り返し曲げによる疲労破壊を防止する観点から可能な限り少なくして大径化することが望ましい。そこで、像担持体としては、図１に示されるものの他に、３本以上のローラに支持されたものや、単一のローラに弾性体を介して支持されたものを用いることが望ましく、少なくとも一端には蛇行を防止するフランジやガイドを設けることが望ましい。また、中間転写媒体についても同様なことが言え、ドラム状の中間転写媒体を用いても良い。一方、特開昭６１−２１７０７８号公報等に開示されるような転写ドラムを用いるカラー画像形成装置においても、ベルト状の像担持体を支持し駆動する支持ローラの周長に対して転写ドラムの周長を整数倍にすることにより、転写ドラムを複数回転周回させての色重ね位置ズレを低減することができる。
【００３４】
上述のカラー画像形成装置としては、例えば、
（１）６０π（ｍｍ）の周長を持つベルト状の像担持体を５０π（ｍｍ）の周長を持つ支持ローラにより支持駆動して像担持体の位置ズレの周期を５０π（ｍｍ）にし、同時に、中間転写媒体の周長を１５０π（ｍｍ）として中間転写媒体の周回に関わらず中間転写媒体上で像担持体の位置ズレを再現させ、さらに、中間転写媒体を支持駆動する駆動ローラの周長を２５π（ｍｍ）として中間転写媒体の周回に関わらず中間転写媒体上で駆動ローラによる位置ズレを再現させる構成、
（２）４２π（ｍｍ）の周長を持つベルト状の像担持体を４０π（ｍｍ）の周長を持つ支持ローラにより弾性材を介して支持すると共に駆動して像担持体の位置ズレの周期を４０π（ｍｍ）にし、同時に、中間転写媒体の周長を８０π（ｍｍ）として中間転写媒体の周回に関わらず中間転写媒体上で像担持体の位置ズレを再現させ、さらに、中間転写媒体を支持駆動する駆動ローラの周長を２０π（ｍｍ）として中間転写媒体の周回に関わらず中間転写媒体上で駆動ローラによる位置ズレを再現させる構成、
（３）８０π（ｍｍ）の周長を持つベルト状の像担持体を複数のローラで支持すると共に２０π（ｍｍ）の周長を持つ支持ローラにより支持駆動して像担持体の位置ズレの周期を２０π（ｍｍ）にし、同時に、中間転写媒体の周長を１６０π（ｍｍ）として中間転写媒体の周回に関わらず中間転写媒体上で像担持体の位置ズレを再現させ、さらに、中間転写媒体を支持駆動する駆動ローラの周長を２０π（ｍｍ）として中間転写媒体の周回に関わらず中間転写媒体上で駆動ローラによる位置ズレを再現させる構成、
（４）６０π（ｍｍ）の周長を持つベルト状の像担持体を５０π（ｍｍ）の周長を持つ支持ローラにより支持駆動して像担持体の位置ズレの周期を５０π（ｍｍ）にし、同時に、中間転写媒体をドラム状に形成しこの周長を１５０π（ｍｍ）として中間転写媒体の周回に関わらず中間転写媒体上で像担持体の位置ズレを再現させる構成、
（５）４２π（ｍｍ）の周長を持つベルト状の像担持体を４０π（ｍｍ）の周長を持つ支持ローラにより弾性材を介して支持すると共に駆動して像担持体の位置ズレの周期を４０π（ｍｍ）にし、同時に、全長２１６（ｍｍ）の記録媒体を保持する転写ドラムの周長を８０π（ｍｍ）として転写ドラムの周回に関わらず記録媒体上で像担持体の位置ズレを再現させる構成、
のうち何れかの構成とすることにより、色重ねにおける位置ズレを低減することができる。但し、上記の数値に本発明は限定されるものではない。
【００３５】
尚、支持ローラや駆動ローラについては、アルミニウムや鉄鋼といった金属或いは樹脂を材質としたものを用いることができるが、ベルトとのスリップを防止するために周面を数十（μｍ）に粗面化したり摩擦係数の高いウレタン等の樹脂を表面に塗布したものを用いるとさらにスリップによる位置ズレを防止することができ好ましい。尚また、色重ねにおける位置ズレを低減するためには、中間転写媒体等の周長は、支持ローラに対して正確に整数倍としなくても、数％の誤差を含んでも色重ねが終了するまでに支持ローラが１／８周程度の位相ズレしか起こさない範囲であれば、色重ねにおける位置ズレを低減することが可能であり、本発明で言う整数倍とはこのような範囲で解釈することが望ましい。
【００３６】
従って、以上の実施例によれば、ベルト状の像担持体を再現良く安定に走行させ、中間転写媒体上に位置ズレの少ない高解像なカラー画像を形成することができ、小径の像担持体が使用可能な小型のカラー画像形成装置で、色再現性に優れたカラー画像を形成することができる。
【００３７】
【発明の効果】
以上述べたように本発明によれば、中間転写媒体もしくは転写ドラムの周長を像担持体の支持ローラの周長の整数倍とすることにより、中間転写媒体もしくは転写ドラムを３〜４回複数回周回させて色重ねを行っても、周期性を持つ位置ズレを色間で再現させることができ、色再現性を向上することができる。
【００３８】
また、中間転写媒体を支持し駆動する駆動ローラの周長を中間転写媒体の周長に対して整数分の一にすることにより、色間での位置ズレをさらに低減することができ、色再現性をさらに向上することができる。
【００３９】
さらに、支持ローラと駆動ローラの線膨張率を等しくすることにより、温度変化により外径が変化しても、色間での位置ズレの周期性を常温と同様に保ち色再現性の温度変化を抑制することができる。特に、中間転写媒体をドラム状にする場合や転写ドラムを用いる場合には、支持ローラとこれらとの線膨張率を等しくすることにより、同様な効果を奏する。
【００４０】
さらにまた、像担持体を支持ローラに巻きかけた部分に対向して帯電手段を配設し、像担持体を支持ローラに巻きかけた部分で露光するべく露光手段を配設し、像担持体を支持ローラに巻きかけた部分に対向して転写手段を配設してトナー像を転写することにより、帯電及び露光及び転写の位置を支持ローラに対して正確に位置決めすることができるため、色ズレの少ないカラー画像を形成することができる。
【図面の簡単な説明】
【図１】本発明のカラー画像形成装置の一実施例を示す要部断面図である。
【図２】本発明のカラー画像形成装置における各要素に起因する位置ズレの時間変化を示す図である。
【符号の説明】
１０  像担持体
１１  支持ローラ
１３  当接ローラ
２０  帯電ローラ
３０  露光手段
４０  ハウジング
４１  イエロー現像器
４２  マゼンタ現像器
４３  シアン現像器
４４  ブラック現像器
４５  イエロー現像ローラ
４６  マゼンタ現像ローラ
４７  シアン現像ローラ
４８  ブラック現像ローラ
５０  一次転写ローラ
５１  中間転写媒体
５２  駆動ローラ
５３  第一従動ローラ
５４  第二従動ローラ
５５  二次転写ローラ
５６  第二クリーニング手段
５７  第二クリーニングブレード
６０  除電ランプ
７０  クリーニング手段
７１  クリーニングブレード
８０  記録媒体
【図１】
0003685219.tif 000002
【図２】
0003685219.tif 000003